(57)【要約】【課題】簡単な構造で、制御手段の数を変更しなくても所望の貯湯量に変更することができる貯湯タンクを備えた貯湯タンクユニットを提供すること。【解決手段】貯留可能な水の貯留部位を変更する、タンク１１Ａ、１１Ｂ、１１Ｃを高さ方向に重ねて設けられた貯湯タンク１１と、接続管１１Ｒ−１、１１Ｌ−１の前記タンク１１Ｂ側の内径部と嵌合する閉止部１８Ｒ−Ｈ１、１８Ｌ−Ｈ１と、接続管１１Ｒ−２、１１Ｌ−２の前記タンク１１Ｃ側の内径部と嵌合する閉止部１８Ｒ−Ｈ２、１８Ｌ−Ｈ２と、変更された貯留部位の上層部から水を取り出す伸縮管１８と、伸縮管牽引用モータ１５と、を備えてなることを特徴とする貯湯タンクユニットＸ１。【選択図】図３
2008089189.tif 000002
【特許請求の範囲】
【請求項１】
水熱交換器により熱交換され貯留された水を排水する貯湯タンクを備えたヒートポンプ式給湯機の貯湯タンクユニットであって、
前記貯湯タンクに貯留可能な水の貯留部位を変更することによって該貯湯タンクの容量を変化させる容量変更手段と、
前記容量変更手段による貯留部位の変更に応じて前記貯湯タンクから水を取り出すパイプの前記貯湯タンクへの接続位置を変更し、前記変更された貯留部位の上層部から水を取り出す取水位置変更手段と、
を備えてなることを特徴とするヒートポンプ式給湯機の貯湯タンクユニット。
【請求項２】
前記容量変更手段が、前記貯湯タンクを水平方向に仕切る１以上の仕切り及び前記仕切りにより仕切られて上下に隣接する貯湯タンクを連通するよう前記仕切りに形成された第１の開口部と嵌合して前記パイプへの通水を許容しつつ前記第１の開口部をふさぐ閉止部材を備えてなり、
前記閉止部材が、前記取水位置変更手段により移動されて前記第１の開口部との嵌合位置を変化させることにより貯留部位を変更するものである請求項１に記載のヒートポンプ式給湯機の貯湯タンクユニット。
【請求項３】
前記仕切りが、複数の小タンクを高さ方向に複数段設置して構成された貯湯タンクの前記複数の小タンクを上下に接続する高さ方向の接続管により構成されてなるとともに、前記閉止部材が前記第１の開口部である前記接続管の内径部と嵌合して前記パイプへの通水を許容しつつ前記内径部をふさぐものである請求項２に記載のヒートポンプ式給湯機の貯湯タンクユニット。
【請求項４】
前記容量変更手段が、前記貯湯タンク内に設けられ、前記パイプが貫通可能な第２の開口部を備え、挿入流体の量に応じて伸縮して前記貯湯タンク内に占める体積が変化する袋状の部材を備えてなるものである請求項１に記載のヒートポンプ式給湯機の貯湯タンクユニット。
【請求項５】
前記袋状の部材が、断熱材により構成されてなる請求項４に記載のヒートポンプ式給湯機の貯湯タンクユニット。
【請求項６】
前記取水位置変更手段が、一端が前記パイプに直接的又は間接的に接続され伸縮可能な第１の蛇腹部と、前記第１の蛇腹部の他端を前記仕切りの方向へ牽引する第１の牽引手段とを備えてなり、
前記第１の蛇腹部の前記他端に、前記閉止部材が取り付けられてなる請求項２又は３のいずれかに記載のヒートポンプ式給湯機の貯湯タンクユニット。
【請求項７】
前記取水位置変更手段が、一端が前記パイプに直接的又は間接的に接続され前記第２の開口部を貫通し伸縮可能な第２の蛇腹部と、前記袋状の部材の伸縮に応じて前記第２の蛇腹部の他端を該第２の蛇腹部が伸又は縮する方向へ牽引する第２の牽引手段とを備えてなるものである請求項４又は５のいずれかに記載のヒートポンプ式給湯機の貯湯タンクユニット。
【請求項８】
前記取水位置変更手段が、
異なる高さ位置に複数の孔が形成された内管又は外管と、前記内管又は前記外管の前記複数の孔と同じ高さ位置に複数の孔が形成された外管又は内管と、が同軸上で相対回転自在にシール性を保って設けられてなるものであり、前記内管に対する前記外管の相対回転により重ねあわされる前記内管及び前記外管の孔の組み合わせにより、前記仕切りにより仕切られた任意のタンクを連通させる開口を複数形成しうる２重管を備え、
前記容量変更手段による貯留部位の変更に応じて、前記開口の内の最も上段の開口が前記変更された貯留部位の上層部に位置するように前記内管に対して前記外管を相対回転させるものである請求項４又は５のいずれかに記載のヒートポンプ式給湯機の貯湯タンクユニット。
【請求項９】
前記取水位置変更手段が、
異なる高さ位置に複数の孔が形成された内管又は外管と、前記内管又は前記外管の前記複数の孔と同じ高さ位置に複数の孔が形成された外管又は内管と、が同軸上で相対回転自在にシール性を保って設けられてなる２重管を備え、
前記容量変更手段による貯留部位の変更に応じて、前記内管に形成された１又は複数の孔と前記外管に形成された１又は複数の孔とを重ね合わせることにより形成される開口の内の最も上段の開口が前記変更された貯留部位の上層部に位置するように前記内管に対して前記外管を相対回転させるものである請求項４又は５のいずれかに記載のヒートポンプ式給湯機の貯湯タンクユニット。
【請求項１０】
前記取水位置変更手段が、前記袋状の部材に備えられた第２の開口部を貫通し、異なる高さ位置に多数の孔が形成された管を備えてなるものである請求項４又は５のいずれかに記載のヒートポンプ式給湯機の貯湯タンクユニット。
【請求項１１】
前記取水位置変更手段が、前記袋状の部材に備えられた第２の開口部を貫通し、前記貯湯タンクの高さ方向に長い長孔が形成された管を備えてなるものである請求項４又は５のいずれかに記載のヒートポンプ式給湯機の貯湯タンクユニット。
【請求項１２】
請求項１〜１１のいずれかに記載のヒートポンプ式給湯機の貯湯タンクユニットを備えたヒートポンプ式給湯機。
【発明の詳細な説明】
【技術分野】
【０００１】
本発明は、ヒートポンプ式給湯機の貯湯タンクユニット及びヒートポンプ式給湯機に関し、特に、貯湯タンクに貯留できる水の容量を変更可能なヒートポンプ式給湯機の貯湯タンクユニット及びヒートポンプ式給湯機に関するものである。
【背景技術】
【０００２】
貯湯タンクに貯留された温水を必要に応じて給湯する従来の貯湯タンクユニットを備えたヒートポンプ式給湯機における前記貯湯タンクは、固定形状のものを使っているので、その容量は一定である。そのため、例えば利用者が増えることなどにより使用する湯量が増えた場合、前記貯湯タンクに貯留した温水だけでは足りないので、例えば電気代が高い時間帯に追加で沸き上げを行うといった不経済な使い方をせざるを得ない。一方、例えば利用者が減るなどにより使用する湯量が減った場合、使用しない水までも沸き上げることになり、無駄であった。
この点、特許文献１に記載のヒートポンプ式給湯機には、貯湯タンクユニットの貯湯タンクに配管接続部及び切り換え弁が設けられているので、前記貯湯タンクだけの貯湯量で足りない場合、別設の貯湯タンクを接続することによって、貯湯量を増やすことができるので、使用者数の増減に対応できる長所を備えている。
【特許文献１】特開２００５−１８８７６２号公報
【発明の開示】
【発明が解決しようとする課題】
【０００３】
しかしながら、特許文献１に記載のヒートポンプ式給湯機では、接続する別設の貯湯タンクを増やせば増やすほど制御手段の数も増えるので、構造が複雑になりコストがかかるという問題があった。
従って、本発明は前記事情に鑑みてなされたものであり、その目的とするところは、簡単な構造で、制御手段の数を変更しなくても所望の貯湯量に変更することができる貯湯タンクを備えたヒートポンプ式給湯機の貯湯タンクユニットを提供することにある。
【課題を解決するための手段】
【０００４】
上述の様に、別設の貯湯ユニットを接続できるように、水熱交換器により熱交換され貯留された水を排水する貯湯タンクに配管接続部と切り換え弁とを備えた従来の貯湯タンクユニットでは、前記貯湯タンクの貯湯量を変更するには、構造が複雑になりコストがかかるという問題があった。
そのため、本発明では、前記貯湯タンクに貯留可能な水の貯留部位を変更することによって該貯湯タンクの容量を変化させる容量変更手段と、前記容量変更手段による貯留部位の変更に応じて前記貯湯タンクから水を取り出すパイプの前記貯湯タンクへの接続位置を変更し、前記変更された貯留部位の上層部から水を取り出す取水位置変更手段とが備えられている。
これにより、使用者の増減などに応じて前記容量変更手段を用いて前記貯湯タンクに貯留する水の量を簡単に変更することができる。また、前記変更された貯留部位の上層部から水を取り出すので、貯湯タンクに貯留されている水のうち高温層の水を取り出すことができる。
具体的には、前記容量変更手段が、貯湯タンクを水平方向に仕切る１以上の仕切り及びこの仕切りにより仕切られて上下に隣接する貯湯タンクを連通するようこの仕切りに形成された第１の開口部と嵌合して前記パイプへの通水を許容しつつ前記第１の開口部をふさぐ閉止部材を備えてなり、当該閉止部材が、前記取水位置変更手段により移動されて前記第１の開口部との嵌合位置を変化させることにより貯留部位を変更するものであることが考えられる。
これにより、前記仕切りを増減するだけで、制御手段の数を変更しなくても簡単に所望の貯湯量に変更することができる。
或いは、この仕切りが、複数の小タンクを高さ方向に複数段設置して構成された貯湯タンクの当該複数の小タンクを上下に接続する高さ方向の接続管により構成されてなるとともに、前記閉止部材が前記第１の開口部である前記接続管の内径部と嵌合して前記パイプへの通水を許容しつつ前記内径部をふさぐものであってもよい。
一方、前記容量変更手段が、貯湯タンク内に設けられ、前記パイプが貫通可能な第２の開口部を備え、挿入流体の量に応じて伸縮して前記貯湯タンク内に占める体積が変化する袋状の部材を備えてなるものであることが考えられる。
この場合、この袋状の部材に挿入する流体の量を調節することにより、貯湯量の微調整が可能である。
特に、袋状の部材が、断熱材により構成されていることが好ましい。
これにより、貯湯タンクに貯留された水から前記袋状の部材に熱が移動することにより貯湯タンクに貯留された水の温度が低下することを抑制することができる。
また、前記容量変更手段が前記仕切り及び前記閉止部材を備えている場合には、前記取水位置変更手段が、一端が前記パイプに直接的又は間接的に接続され伸縮可能な第１の蛇腹部と、この第１の蛇腹部の他端を前記仕切りの方向へ牽引する第１の牽引手段とを備えてなり、前記第１の蛇腹部の前記他端に、前記閉止部材が取り付けられてなることが好ましい。
そして、前記容量変更手段が前記袋状の部材を備えている場合には、前記取水位置変更手段が、一端が前記パイプに直接的又は間接的に接続され前記第２の開口部を貫通し伸縮可能な第２の蛇腹部と、前記袋状の部材の伸縮に応じて前記第２の蛇腹部の他端を該第２の蛇腹部が伸び又は縮む方向へ牽引する第２の牽引手段とを備えてなるものであることが好ましい。
このような構成であれば、前記第２の牽引手段により前記第２の蛇腹部を牽引するだけで、前記貯湯タンク内の任意の高さ位置から水を取り出すことができるので、前記変更された貯留部位の上層部から水を取り出すことができる。従って、前記貯湯タンクに貯留されている水のうち高温層の水を取り出すことができる。
或いは、前記容量変更手段が前記仕切り及び前記閉止部材を備えている場合には、前記取水位置変更手段が、異なる高さ位置に複数の孔が形成された内管又は外管と、前記内管又は前記外管の前記複数の孔と同じ高さ位置に複数の孔が形成された外管又は内管と、が同軸上で相対回転自在にシール性を保って設けられてなるものであり、前記内管に対する前記外管の相対回転により重ねあわされる前記内管及び前記外管の孔の組み合わせにより、前記仕切りにより仕切られた任意のタンクを連通させる開口を複数形成しうる２重管を備え、前記容量変更手段による貯留部位の変更に応じて、前記開口の内の最も上段の開口が前記変更された貯留部位の上層部に位置するように前記内管に対して前記外管を相対回転させるものであってもよい。
そして、前記容量変更手段が前記袋状の部材を備えている場合には、前記取水位置変更手段が、異なる高さ位置に複数の孔が形成された内管又は外管と、前記内管又は前記外管の前記複数の孔と同じ高さ位置に複数の孔が形成された外管又は内管と、が同軸上で相対回転自在にシール性を保って設けられてなる２重管を備え、前記容量変更手段による貯留部位の変更に応じて、前記内管に形成された１又は複数の孔と前記外管に形成された１又は複数の孔とを重ね合わせることにより形成される開口の内の最も上段の開口が前記変更された貯留部位の上層部に位置するように前記内管に対して前記外管を相対回転させるものであってもよい。
このような構成であれば、前記内管に対して前記外管を相対回転させるだけで、前記開口位置が変わるので、前記貯湯タンク内の任意の高さ位置から水を取り出すことができる。そのため、前記変更された貯留部位の上層部から水を取り出すことができる。
また、前記容量変更手段が前記袋状の部材を備えている場合には、前記取水位置変更手段が、前記袋状の部材に備えられた第２の開口部を貫通し、異なる高さ位置に多数の孔が形成された管、或いは前記貯湯タンクの高さ方向に長い長孔が形成された管を備えてなるものであってもよい。
この場合、構造が簡単であり、前記取水位置を変更するために駆動手段を用いないので、安価である。
【発明の効果】
【０００５】
貯湯タンクに貯留する水の容量（貯湯量）を簡単に変更することができるヒートポンプ式給湯機の貯湯タンクユニットを提供することができる。
【発明を実施するための最良の形態】
【０００６】
以下添付図面を参照しながら、本発明の実施の形態について説明し、本発明の理解に供する。尚、以下の実施の形態は、本発明を具体化した一例であって、本発明の技術的範囲を限定する性格のものではない。
ここに、図１は本実施の形態に係る貯湯タンクユニットＸ１の制御系統のブロック図、図２は本実施の形態に係る貯湯タンクユニットＸ１を備えたヒートポンプ式給湯機Ｚ１の概略構成を示す模式図、図３は本実施の形態に係る貯湯タンクユニットＸ１の貯湯タンク１１に略５５０リットルの水を貯留する場合の貯湯タンク１１の模式断面図、図４は本実施の形態に係る貯湯タンクユニットＸ１の貯湯タンク１１に略４６０リットルの水を貯留する場合の貯湯タンク１１の模式断面図、図５は本実施の形態に係る貯湯タンクユニットＸ１の貯湯タンク１１に略３７０リットルの水を貯留する場合の貯湯タンク１１の模式断面図、図６は仕切り板１７０が設けられた貯湯タンク１１１の模式断面図である。
【０００７】
図２に示すように、ヒートポンプ式給湯機Ｚ１は、本実施の形態に係る貯湯タンクユニットＸ１及びヒートポンプユニットＹ１により構成されている。
図１及び図２に示すように、貯湯タンクユニットＸ１は、過温度防止センサ１２、湯温サーミスタ１３、混合弁１４、伸縮管牽引用モータ１５、操作入力部３、前記操作入力部３から操作入力を行うための各種情報を表示する表示部２、表示部２に表示する上記各種情報などを記憶する記憶部４、これらを統括的に制御する制御部１、滑車１６（１６Ｒ−１、１６Ｒ−２、１６Ｒ−３、１６Ｒ−４、１６Ｌ−１、１６Ｌ−２、１６Ｌ−３、１６Ｌ−４）、ワイヤ１７（１７Ｒ、１７Ｌ）、伸縮管１８（１８Ｒ、１８Ｌ。図３参照）、水配管１０（１０Ａ、１０Ｂ、１０Ｃ、１０Ｄ）、貯湯タンク１１、などにより構成されている。
過温度防止センサ１２及び湯温サーミスタ１３は、貯湯タンク１１に設けられ、貯湯タンク１１に貯留された水の温度を検出するセンサである。
上記伸縮管牽引用モータ１５、滑車１６、ワイヤ１７、伸縮管１８についての詳細は後記する。
図２に示すように、前記水配管１０の水配管１０Ａは、給水口から供給された水を、貯湯タンク１１まで供給する流水経路、水配管１０Ｂは、貯湯タンク１１に貯留された水を貯湯タンクユニットＸ１の外部（本実施の形態では、ヒートポンプユニットＹ１）へ供給する流水経路、水配管１０Ｃは、貯湯タンクユニットＸ１の外部（本実施の形態では、ヒートポンプユニットＹ１）から供給された水を貯湯タンク１１へ供給する流水経路、水配管１０Ｄは、貯湯タンク１１から供給された水を混合弁１４を経て給湯口へ供給する流水経路を含んで構成される。
図２に示すように、ヒートポンプユニットＹ１は、水配管２０、循環ポンプ２１、水熱交換器２２、冷媒が流れる経路である配管２３、冷媒を圧縮する圧縮機２４、冷媒を室外の空気と熱交換させて吸熱させ気化させる室外空気熱交換器２５、室外空気熱交換器２５に風を送り大気からの吸熱を促す送風ファン２６、前記冷媒を膨張させる膨張器２７などにより構成されている。
水熱交換器２２は、配管２３を流れる冷媒と、水配管２０を流れる水との間で熱交換を行うものである。
上記水配管２０は、貯湯タンクユニットＸ１から供給された水を循環ポンプ２１を経て水熱交換器２２まで供給し、この水熱交換器２２で熱交換された水を貯湯タンクユニットＸ１に供給する流水経路である。
【０００８】
ヒートポンプ式給湯機Ｚ１で行われる貯湯処理及び給湯処理について以下説明する。
ヒートポンプ式給湯機Ｚ１では、前記制御部１により圧縮機２４、送風ファン２６、膨張器２７、循環ポンプ２１、過温度防止センサ１２、湯温サーミスタ１３などが制御されることによって、給水口から供給されて貯湯タンク１１に貯留された水を水熱交換器２２により熱交換（加熱）して貯湯タンク１１に貯留する貯湯処理が行われる。
具体的には、まず、給水口から水配管１０Ａを経て貯湯タンク１１に水が供給され貯留される。
上記貯湯タンク１１に貯湯された水は、ヒートポンプユニットＹ１の循環ポンプ２１により吸い上げられ水熱交換器２２に供給される。水熱交換器２２に供給された水は、水熱交換器２２により、配管２３を流れる冷媒と熱交換される。水熱交換器２２により熱交換された水は、前記水配管２０、水配管１０Ｃを経て貯湯タンク１１に貯留される。過温度防止センサ１２及び湯温サーミスタ１３により予め定められた温度が検出されるまで、貯湯タンク１１に貯留された水が、前記循環ポンプ２１、水熱交換器２２、貯湯タンク１１を循環する。そして、貯湯タンク１１の上部に貯留された高温の水は、水配管１０Ｄを経て、混合弁１４により給水口から供給される水と混合されて、前記給湯口に供給される。
一方、配管２３を流れる冷媒は、前記圧縮機２４により圧縮されて高温高圧となり、水熱交換器２２において、水配管２０を流れる水と熱交換される。水熱交換器２２により熱交換された冷媒は、膨張器２７により膨張され、室外空気熱交換器２５により室外の空気と熱交換されて吸熱、気化し、再度圧縮機２４へと循環する。
【０００９】
ところで、従来の貯湯タンクユニットを備えたヒートポンプ式給湯機では、簡単に貯湯タンクの容量を変更することができなかった。
本実施の形態では、貯湯タンク１１の容量を簡単に変更することができ、利用者が希望する容量の貯湯を行うことができる貯湯タンクユニットＸ１を提供する。
以下に詳細を記す。
【００１０】
貯湯タンク１１は、図３に示すように、タンク１１Ａとタンク１１Ｂとタンク１１Ｃとが接続管１１Ｒ−１、１１Ｒ−２、１１Ｌ−１、１１Ｌ−２により接続されて高さ方向に設置されている。図に示したように、貯湯タンク１１は、左右対称の管路を備えているので、これらの部品の符号にＲ或いはＬを付している。従って、以下の説明では特に必要な場合を除き右側の管路Ｒ側についてのみ説明して、左側の管路の説明を省略する。
一例として、前記タンク１１Ａは容量が略３７０リットルのタンク、タンク１１Ｂは容量が略９０リットルのタンク、タンク１１Ｃもまた容量が略９０リットルのタンクである。
具体的には、タンク１１Ａは最下段に設置され、タンク１１Ａ上部に設けられた２つの接続口にはそれぞれ前記接続管１１Ｒ−１の一端が接続されている。接続管１１Ｒ−１の他端は、タンク１１Ｂ下部に設けられた２つの接続口に接続されている。さらにタンク１１Ｂ上部に設けられた２つの接続口にはそれぞれ前記接続管１１Ｒ−２の一端が接続されている。この接続管１１Ｒ−２の他端は、タンク１１Ｃ下部に設けられた２つの接続口に接続されている。
タンク１１Ａ下部の一方の接続口である入水口１９−１には、水配管１０Ａが接続されており、前記給水口から水が供給される。
タンク１１Ａ下部の他方の接続口である出水口１９−２には、水配管１０Ｂが接続されており、貯湯タンク１１に貯留された水が排出され、水配管１０Ｂ、水配管２０、循環ポンプ２１を経て水熱交換器２２に供給される。
タンク１１Ｃ上部の一方の接続口である入湯口１９−３には、水配管１０Ｃが接続されており、水熱交換器２２により熱交換された水が供給される。
タンク１１Ｃ上部の他方の接続口である出湯口１９−４には、水配管１０Ｄが接続されており、貯湯タンク１１に貯留された温水が排出される。
ここで、前記タンク１１Ａ、１１Ｂ、１１Ｃを高さ方向に上下に接続する接続管１１Ｒ−１、１１Ｒ−２が、仕切りの一例に相当する。
【００１１】
ここで、前記伸縮管１８について詳しく説明する。
伸縮管１８の伸縮管１８Ｒは、前記出湯口１９−４に接続されており、伸縮管１８Ｌは、前記入湯口１９−３にそれぞれ接続されている。
伸縮管１８Ｒは、先端部１８Ｒ−Ｓ、閉止部１８Ｒ−Ｈ１、蛇腹部１８Ｒ−Ｊ１、閉止部１８Ｒ−Ｈ２、蛇腹部１８Ｒ−Ｊ２が順に接続されて構成されている。
上記先端部１８Ｒ−Ｓには、前記ワイヤ１７のワイヤ１７Ｒが連結されている。
上記閉止部１８Ｒ−Ｈ１は、接続管１１Ｒ−１のタンク１１Ｂ側の内径部１１Ｒ−１Ｎと嵌合する部材である。前記接続管１１Ｒ−１の内径部１１Ｒ−１Ｎと嵌合した場合に水漏れしないように、外周はシール性を保つよう弾性部材により構成されている。これにより、閉止部１８Ｒ−Ｈ１は、前記蛇腹部１８Ｒ−Ｊ１への通水を許容しつつ内径部１１Ｒ−１Ｎをふさぐ。
蛇腹部１８Ｒ−Ｊ１は、蛇腹状の伸縮可能な管である。
閉止部１８Ｒ−Ｈ２は、接続管１１Ｒ−２のタンク１１Ｃ側の内径部１１Ｒ−２Ｎと嵌合する部材である。閉止部１８Ｒ−Ｈ２は、閉止部１８Ｒ−Ｈ１より大きく構成され、内径部１１Ｒ−２Ｎと嵌合した場合に水漏れしないように、外周はシール性を保つよう弾性部材により構成されている。このような構造により、閉止部１８Ｒ−Ｈ２は、蛇腹部１８Ｒ−Ｊ１、１８Ｒ−Ｊ２内部への通水を許容しつつ内径部１１Ｒ−２Ｎをふさぐ。
前記蛇腹部１８Ｒ−Ｊ２も蛇腹状の伸縮可能な管であり、一端が前記閉止部１８Ｒ−Ｈ２に接続され、他端が前記水配管１０Ｄに直接接続されている。ここに蛇腹部１８Ｒ−Ｊ２は、前記蛇腹部１８Ｒ−Ｊ１よりも軟らかい部材で形成されている。
従って、図３に示すように蛇腹部１８Ｒ−Ｊ２が最も縮んだ状態から、先端部１８Ｒ−Ｓ（左側の先端部１８Ｌ−Ｓも一緒に）を下（図３における矢印Ｐ２方向）へ移動させると、硬い蛇腹部１８Ｒ−Ｊ１より先に軟らかい蛇腹部１８Ｒ−Ｊ２が伸び、図４に示すように、閉止部１８Ｒ−Ｈ２が接続管１１Ｒ−２の内径部１１Ｒ−２Ｎに嵌まり込む。さらに上記先端部１８Ｒ−Ｓを下へ移動させると、硬い蛇腹部１８Ｒ−Ｊ１が伸び、図５に示すように閉止部１８Ｒ−Ｈ１が接続管１１Ｒ−１の内径部１１Ｒ−１Ｎに嵌合される。
ここで、前記蛇腹部１８Ｒ−Ｊ２が、第１の蛇腹部の一例に相当する。
また、前記接続管１１Ｒ−１、１１Ｒ−２の内径部１１Ｒ−１Ｎ、１１Ｒ−２Ｎが、第１の開口部の一例に相当する。
さらに、前記閉止部１８Ｒ−Ｈ１、１８Ｒ−Ｈ２が、閉止部材の一例に相当する。
以下に詳しく述べるように、前記伸縮管牽引用モータ１５の駆動による閉止部１８Ｒ−Ｈ２、１８Ｒ−Ｈ１の移動により、前記タンク１１Ｃの下部の接続口及び／又は前記タンク１１Ｂ下部の接続口が閉止され、前記貯湯タンク１１に貯留可能な水の貯留部位を変更して、貯湯タンク１１の容量を変化させることができる。
ここで、前記閉止部１８Ｒ−Ｈ２、１８Ｒ−Ｈ１と、前記伸縮管牽引用モータ１５と、前記タンク１１Ａ、１１Ｂ、１１Ｃを高さ方向に複数段設置して構成された貯湯タンク１１とが、容量変更手段の一例に相当する。
【００１２】
次に、前記伸縮管１８を牽引する手段について説明する。
図３に示すように、伸縮管牽引用モータ１５は、貯湯タンク１１の外側で、且つ、滑車１６Ｒ−１（及び滑車１６Ｌ−１）を駆動可能な位置に設けられている。
滑車１６Ｒ−１は、貯湯タンク１１の外側で、貯湯タンク１１の最下部の、入水口１９−１よりも高さ位置が低い位置に設けられており、伸縮管牽引用モータ１５が駆動されることにより回転される。
滑車１６Ｒ−２は、水配管１０Ａ内の、入水口１９−１よりも低い高さ位置に設けられている。
滑車１６Ｒ−３は、水配管１０Ｄ内の、出湯口１９−４よりも高い高さ位置であり、且つ、貯湯タンク１１の高さ方向において滑車１６Ｒ−２と同じ位置に設けられている。
滑車１６Ｒ−４は、貯湯タンク１１の外側で、滑車１６Ｒ−３と同じ高さ位置であり、且つ、貯湯タンク１１の高さ方向において滑車１６Ｒ−１と同じ位置に設けられている。
前記滑車１６Ｒ−１、１６Ｒ−２、１６Ｒ−３、１６Ｒ−４間には、一部が前記伸縮管１８の先端部１８Ｒ−Ｓに連結されたワイヤ１７Ｒが張設されている。伸縮管牽引用モータ１５により滑車１６Ｒ−１が予め定められた方向に回転されると、ワイヤ１７Ｒが走行する。
前記滑車１６Ｒ−２と滑車１６Ｒ−１との間に張架されているワイヤ１７Ｒは、前記水配管１０Ａ側面を貫通している。水配管１０Ａ側面を貫通しているワイヤ１７Ｒの周りはシールされており、水配管１０Ａ内部の水が水配管１０Ａ外部へ漏れないようになっている。また、前記滑車１６Ｒ−３と滑車１６Ｒ−４との間に張架されているワイヤ１７Ｒは、水配管１０Ｄ側面を貫通しており、その周りがシールされていることで、水配管１０Ｄ内部の水が水配管１０Ｄ外部へ漏れないようになっている。
ここで、前記ワイヤ１７、滑車１６、伸縮管牽引用モータ１５が、第１の牽引手段の一例に相当する。
【００１３】
続いて、前記制御部１により実行される、貯湯タンク１１に貯留する水の量（貯湯量）を変更する容量変更処理及び取水位置変更処理について説明する。
ここで、前記伸縮管牽引用モータ１５が駆動されるたびに、その回転方向及び回転数に基づいて前記伸縮管１８の前記先端部１８Ｒ−Ｓ（１８Ｌ−Ｓ）の位置が前記制御部１により算出され、算出された前記先端部１８Ｒ−Ｓ（１８Ｌ−Ｓ）の位置が前記記憶部４に記憶されているものとする。
仮に、初期の状態として、前記タンク１１Ａ、１１Ｂ、１１Ｃすべてのタンクが使用されている場合、つまり貯湯タンク１１に貯留する水の量が略５５０リットルであり、伸縮管１８の先端部１８Ｒ−Ｓは、図３に示すようなタンク１１Ｃの予め定められた位置（伸縮管１８が最も縮んだ状態）に位置した状態で使用されているものとする。
この場合給水口から水配管１０Ａ、入水口１９−１を経てタンク１１Ａに供給された水は、接続管１１Ｒ−１、１１Ｌ−１を経てタンク１１Ｂに供給され、更に前記接続管１１Ｒ−２、１１Ｌ−２を経て前記タンク１１Ｃにも供給される。
このタンク１１Ａ、１１Ｂ、１１Ｃに満たされた水は、出水口１９−２、水配管１０Ｂを経てヒートポンプユニットＹ１の水熱交換器２２により加熱される。加熱された水は、水配管１０Ｃから伸縮管１８Ｌの蛇腹部１８Ｌ−Ｊ２、１８Ｌ−Ｊ１を経て、先端部１８Ｌ−Ｓからタンク１１Ｃへ供給される。
さらに前記伸縮管１８Ｌを経てタンク１１Ｃ、１１Ｂ、１１Ａに供給された温水は、伸縮管１８Ｒの先端部１８Ｒ−Ｓから伸縮管１８Ｒ、水配管１０Ｄを経て、混合弁１４により水と混合されて給湯口へ供給される。このように、前記伸縮管１８Ｒの先端部１８Ｒ−Ｓは、タンク１１Ｃの上部に位置するので、タンク１１Ａ、１１Ｂ、１１Ｃに貯留された水のうち、上層部の最も高温の水を取水することができる。
【００１４】
次に例えば、使用するお湯の量が減少するなどにより貯湯量を減少したい場合は、利用者により、前記操作入力部３の「貯湯量４６０リットルに変更」ボタンや、「貯湯量３７０リットルに変更」ボタンが押下される。
【００１５】
これにより前記制御部１は、伸縮管牽引用モータ１５を駆動し、滑車１６Ｒ−１（及び滑車１６Ｌ−１）が予め定められた方向（例えば図３における矢印Ｐ１、Ｐ５方向）に回転する。この回転によって、滑車１６Ｒ−１に張設されている環状のワイヤ１７Ｒ（及び滑車１６Ｌ−１に張設されている環状のワイヤ１７Ｌ）が予め定められた方向（この場合、図３における矢印Ｐ２、Ｐ６方向）に移動する。このようにワイヤ１７Ｒが移動することにより、滑車１６Ｒ−２、１６Ｒ−３、１６Ｒ−４が従動し、ワイヤ１７Ｌが移動することにより記滑車１６Ｌ−２、１６Ｌ−３、１６Ｌ−４が従動する。前記ワイヤ１７Ｒが移動することにより、このワイヤ１７Ｒに連結されている前記伸縮管１８の先端部１８Ｒ−Ｓが、ワイヤ１７Ｒが移動する方向、ここでは図３における矢印Ｐ２方向（下方向）に牽引され、同様にワイヤ１７Ｌが移動することによりこれに連結されている伸縮管１８の先端部１８Ｌ−Ｓが、ワイヤ１７Ｌが移動する方向、ここでは図３における矢印Ｐ６方向（下方向）に牽引される。
これによって、、前記先端部１８Ｒ−Ｓに接続されている前記閉止部１８Ｒ−Ｈ１、蛇腹部１８Ｒ−Ｊ１、閉止部１８Ｒ−Ｈ２、蛇腹部１８Ｒ−Ｊ２も牽引される。既に述べたように、前記蛇腹部１８Ｒ−Ｊ２の端部は水配管１０Ｄに接続固定されており、且つ、蛇腹部１８Ｒ−Ｊ２は蛇腹部１８Ｒ−Ｊ１よりも軟らかいので、前記牽引により、まず、前記蛇腹部１８Ｒ−Ｊ１は縮んだままの状態で、蛇腹部１８Ｒ−Ｊ２が蛇腹部１８Ｒ−Ｊ１より先に伸びる。
同様に、蛇腹部１８Ｌ−Ｊ２が蛇腹部１８Ｌ−Ｊ１より先に伸びる。
そして、図４に示すように、前記閉止部１８Ｒ−Ｈ２及び閉止部１８Ｌ−Ｈ２が前記接続管１１Ｒ−２及び前記接続管１１Ｌ−２の前記タンク１１Ｃ側の内径部１１Ｒ−２Ｎ、１１Ｌ−２Ｎにそれぞれ嵌合され、伸縮管牽引用モータ１５が停止される。
【００１６】
この時給水口から水配管１０Ａ、入水口１９−１を経てタンク１１Ａ、１１Ｂに供給された水は、蛇腹部１８Ｒ−Ｊ２への通水は許容されるが閉止部材１８Ｒ−Ｈ２により接続管１１Ｒ−２の内径部１１Ｒ−２Ｎがふさがれているので、タンク１１Ｃへ供給されることはない。
これによって、タンク１１Ａと１１Ｂとが接続され、タンク１１Ａに略３７０リットル、タンク１１Ｂに略９０リットル、合計略４６０リットルの水を貯留する若干小さいタンクが形成される。ここに蓄積された水は前記の通り水熱交換器２２により加熱される。また加熱された温水は、伸縮管１８Ｒの先端部１８Ｒ−Ｓから伸縮管１８Ｒ、水配管１０Ｄを経て、前記混合弁１４により水と混合されて給湯口へ供給される。
また、伸縮管１８Ｒの先端部１８Ｒ−Ｓは、タンク１１Ｂの上部に位置するので、前記タンク１１Ａ及びタンク１１Ｂに貯留された水のうち、上層部の水を取水することができる。
【００１７】
より小さいタンクを利用するべく、利用者により、前記操作入力部３の「貯湯量３７０リットルに変更」ボタンが押下された場合についても伸縮管牽引用モータ１５が駆動されると、先端部１８Ｒ−Ｓ、１８Ｌ−Ｓが牽引され、閉止部１８Ｒ−Ｈ１及び１８Ｌ−Ｈ１が前記接続管１１Ｒ−１及び１１Ｌ−１のタンク１１Ｂ側の内径部１１Ｒ−１Ｎ、１１Ｌ−１Ｎにそれぞれ嵌合される。この時点で（図５参照）、伸縮管牽引用モータ１５が停止される。
この場合には、前記閉止部１８Ｒ−Ｈ１、１８Ｌ−Ｈ１により前記内径部１１Ｒ−１Ｎ、１１Ｌ−１Ｎがふさがれているので、水がタンク１１Ｂやタンク１１Ｃへ供給されることがなく、前記タンク１１Ａのみに給水され、温水となって給湯口に供給される。給水の詳細は、前記と同様であるので説明を省略する。
前記伸縮管１８Ｒの先端部１８Ｒ−Ｓは、前記タンク１１Ａの上部に位置するので、タンク１１Ａに貯留された水のうち、上層部の高温の水を取水することができる。
【００１８】
ここで、前記閉止部１８Ｒ−Ｈ２、１８Ｌ−Ｈ２、１８Ｒ−Ｈ１、１８Ｌ−Ｈ１による閉止位置に応じて、貯湯タンク１１から水を取り出す伸縮管１８の先端部１８Ｒ−Ｓ、１８Ｌ−Ｓの位置を変更し、変更された貯留部位の上層部から水を取り出す伸縮管１８及び伸縮管１８を伸び縮みさせる伸縮管牽引用モータ１５が、取水位置変更手段の一例に相当する。
【００１９】
前述のような伸縮管の伸縮動作により、貯湯タンク１１に貯留する水の量を簡単に変更することができる。また、前記のように変更された貯留部位の上層部から水を取り出すので、貯湯タンクに貯留されている水のうち高温層の水を取り出すことができる。
なお、貯湯タンクユニットＸ１の貯湯タンク１１では、タンク１１Ａ、１１Ｂ、１１Ｃと３つの小タンクが設けられているが、３つに限らず、２つや４つ以上でもよく、任意の数の小タンクを設けることにより、貯湯量を増減する段階を任意に設定することができる。
また、貯湯タンク１１は、小タンクを複数段重ねて設けられているが、図６に示すように、貯湯タンク１１１の内部に、閉止部材が嵌合する大きさの開口が形成された仕切り板１７０を設けたものでもかまわない。
一方、伸縮管１８は、望遠鏡のような多筒摺動型の管でもよい。
【実施例１】
【００２０】
以下の実施例１は、内管に対する外管の相対回転により重ねあわされる孔の組み合わせにより開口を形成しうる２重管により、仕切られた任意のタンクから水を取り出す貯湯タンクユニットＸ２に関するものである。
ここに、図７は実施例１に係る貯湯タンクユニットＸ２の貯湯タンク２１１に略５５０リットルの水（最大量）を貯留する場合の貯湯タンク２１１の模式断面図、図８は実施例１に係る貯湯タンクユニットＸ２の２重管２３０の側面図及び展開図、図９は実施例１に係る貯湯タンクユニットＸ２の２重管２３０の一部の模式断面図、図１０は実施例１に係る貯湯タンクユニットＸ２の２重管２３０の異なる高さ位置における断面図、図１１は実施例１に係る貯湯タンクユニットＸ２の貯湯タンク２１１に若干少ない略４６０リットルの水を貯留する場合の貯湯タンク２１１の模式断面図、図１２は実施例１に係る貯湯タンクユニットＸ２の貯湯タンク２１１に略３７０リットル（最小）の水を貯留する場合の貯湯タンク２１１の模式断面図である。
本実施例１に係る貯湯タンクユニットＸ２について前記実施形態に係る貯湯タンクユニットＸ１との相違部分についてのみ説明する。
該貯湯タンクユニットＸ２において、前記貯湯タンクユニットＸ１と共通の部材には、同じ符号を付して説明を省略する。
上記貯湯タンクユニットＸ２は、前記実施の形態の貯湯タンクユニットＸ１同様、前記ヒートポンプユニットＹ１に接続されている。
また上記貯湯タンクユニットＸ２は、過温度防止センサ１２、湯温サーミスタ１３、混合弁１４、操作入力部３、前記操作入力部３から操作入力を行うための各種情報を表示する表示部２、前記表示部２に表示する前記各種情報などを記憶する記憶部４、これらを統括的に制御する制御部１、２重管２３０、水配管１０（１０Ａ、１０Ｂ、１０Ｃ、１０Ｄ）、貯湯タンク２１１、などにより構成されている。
上記貯湯タンクユニットＸ２も、上記実施形態と同様左右対称の管路を備えているので、必要な場合を除き右側の管路（Ｒを付して表示する）のみについて説明する。
【００２１】
図７に示すように、前記貯湯タンク２１１は、タンク２１１Ａ、２１１Ｂ、２１１Ｃ、接続管２１１Ｒ−１、２１１Ｒ−２、２１１Ｌ−１、２１１Ｌ−２により構成されている。
タンクの容量は前記実施形態と同様である。
右側の水配管１０Ｄ、接続管２１１Ｒ−２、接続管２１１Ｌ−１は同じ径の管であり、左側の管についても同様である。
前記実施の形態同様、タンク２１１Ａ下部には、入水口１９−１、出水口１９−２の２つの接続口が設けられており、タンク２１１Ｃ上部には、入湯口１９−３、出湯口１９−４の２つの接続口が設けられている。
【００２２】
本実施例１に係る貯湯タンクユニットＸ２は、貯湯タンク２１１の任意の高さ位置から取水するための手段として、前記実施の形態に係る貯湯タンクユニットＸ１の前記伸縮管１８、伸縮管牽引用モータ１５、滑車１６、ワイヤ１７のかわりに、２重管２３０（２３０Ｒ、２３０Ｌ）を備えている。
この２重管２３０は、内管２３２と外管２３３と該内管２３２の上端部に固定された軸部２３１とを備えて構成されている。図７に示すように、右側の２重管２３０の２重管２３０Ｒは前記タンク２１１Ａ、接続管２１１Ｒ−１、タンク２１１Ｂ、接続管２１１Ｒ−２、タンク２１１Ｃ、水配管１０Ｄを貫通する管である。左側についても同様である。
前記内管２３２は、異なる高さ位置に複数の孔が形成されている。本実施例１では、図７に示すように、タンク２１１Ｂの上部及びタンク２１１Ｃの上部に、孔が形成されている。
図８（ａ）は上記内管２３２の側面図、図８（ｂ）は内管２３２の展開図である。例えば、図８に示すように、タンク２１１Ｂ上部に孔２３２−２Ａ及び孔２３２−２Ｂが形成され、孔２３２−２Ａと同軸上でありタンク２１１Ｃ上部に孔２３２−３が形成されている。上記内管２３２の外側には、該内管２３２に形成された孔２３２−２Ａ、２３２−２Ｂ、２３２−３の上下にそれぞれリングパッキン２３４が備えられている（図９参照）。前記リングパッキン２３４が備えられることにより、前記外管２３３との間に水が入り込むことが防がれる。
図１０（ａ）は内管２３２の上端部２３２−４の断面図、図１０（ｂ）は前記内管２３２の孔２３２−３が形成された高さ位置の断面図、図１０（ｃ）は前記内管２３２の孔２３２−２Ａ及び孔２３２−２Ｂが形成された高さ位置の断面図、図１０（ｄ）は内管２３２の下端部２３２−１の断面図である。
内管２３２の下端部２３２−１は、図１０（ｄ）に示すように、開口である。内管２３２の上端部２３２−４に、図１０（ａ）に示すように、複数の孔が形成されており、前記水配管１０Ｃから供給された水をこの内管２３２内部に通すことができる。前記上端部２３２−４の中心部には、前記した軸部２３１が固着されている。
図１０（ｅ）は前記外管２３３の上端部２３３−４の断面図、図１０（ｆ）は外管２３３の前記孔２３３−３が形成された高さ位置の断面図、図１０（ｇ）は外管２３３の前記孔２３３−２が形成された高さ位置の断面図、図１０（ｈ）は外管２３３の下端部２３３−１の断面図である。
外管２３３は、内管２３２を内包する筒状の管であり、上端部２３３−４及び下端部２３３−１は、図１０（ｅ）（ｈ）に示すように、開口である。前記外管２３３は、内管２３２に形成された孔２３２−２Ａ、２３２−２Ｂと同じ高さ位置に孔２３３−２が形成されており、前記内管２３２に形成された孔２３２−３と同じ高さ位置に孔２３３−３が形成されている。
前記２重管２３０Ｒの外管２３３Ｒは、前記接続管２１１Ｒ−１、２１１Ｒ−２、水配管１０Ｄに固定されている。
図７に示すように、前記外管２３３が内管２３２を内包しており、上記軸部２３１及びこれと一体の内管２３２は手動で回転することができる。このように、内管２３２と外管２３３とが同軸上で相対回転自在にシール性を保って摺接されている。
上記軸２３１の回転により、内管２３２に形成された孔２３２−２Ａ、２３２−２Ｂ、２３２−３も回転するので、外管２３３に形成された孔２３３−２、２３３−３に重ねあわされる孔がずれる。このように、内管２３２の孔と外管２３３の孔との組み合わせにより、任意のタンクを連通させる開口の位置を変化させることができる。
前記内管２３２Ｌの上端部２３２−４に固着されている軸部２３１は、前記水配管１０Ｃを、また内管２３２Ｒの上端部２３２−４に固着されている軸部２３１は、前記水配管１０Ｄをそれぞれ貫通している。前記水配管１０Ｃ、１０Ｄを貫通している軸部２３１の周りはシールされており、水配管１０Ｃや１０Ｄ内部の水が水配管１０Ｃや１０Ｄ外部へ漏れないようになっている。
【００２３】
このような構成によって、左右の軸２３１を適宜の回転角度に位置させることで、内管２３２に対して外管２３３を相対回転させ、各開口を閉じたり開いたり（連通）させることで、連通するタンクを選択し、タンク全体の容量を調整する。具体的には、図７は、全てのタンクが開口によって連通された状態を、図１１は、タンク２１１ｃが閉じられてタンク２１１Ｂと２１１Ｃが使用可能になった状態を、また図１２は、タンク２１１Ａと２１１Ｂとが閉じられ、２１１Ｃのみが使用可能となった状態を示している。
なお、以下の実施例１では、前記軸部２３１を手動で回転させているが、モータなどで回してもよい。
このように、図７のような開口が形成され前記タンク２１１Ａ、２１１Ｂ、２１１Ｃが連通されることにより、前記タンク２１１Ａ、２１１Ｂ、２１１Ｃに合計略５５０リットルの水を貯留することができる。
図７の状態でタンク２１１Ａ、２１１Ｂ、２１１Ｃに満たされた温水は、前記下端部２３２−１、孔２３２−２Ａ及び孔２３３−２が重ね合わされて形成された開口、前記孔２３２−３及び孔２３３−３が重ね合わされて形成された開口から内管２３２Ｒの内部、水配管１０Ｄを経て、混合弁１４により水と混合されて給湯口へ供給される。
このように、前記２重管２３０の各開口は、前記各タンクの上部に位置するので、前記タンク２１１Ａ、２１１Ｂ、２１１Ｃに貯留された水のうち、上層部の水を取水することができる。
【００２４】
図７の状態から、貯湯タンク２１１に貯留する水の量を変更する場合には、貯留部位の変更に応じて、開口の内の最も上段の開口が変更された貯留部位の上層部に位置するように前記内管２３２に対して前記外管２３３を相対回転させる。具体的には、図１１のような開口が形成されるように、前記軸部２３１を回転させる。前記内管２３２の孔２３２−２Ｂと、前記外管２３３の孔２３３−２とが重ねあわされ、図１１に示すように、前記タンク２１１Ｂ上部に開口が形成されて、前記タンク２１１Ｂ、２１１Ｃが連通される。
この場合、前記内管２３２の孔２３２−３と、前記外管２３３の孔２３３−３とは重ならないので、タンク２１１Ｃ上部には開口は形成されない。そのため、前記２重管２３０内を流れる水は、タンク２１１Ｃには供給されない。
このように、図１１のような開口により前記タンク２１１Ａ、２１１Ｂが連通されることにより、前記タンク２１１Ａ、２１１Ｂに合計略４６０リットルの水を貯留することができる。
前記タンク２１１Ａ、２１１Ｂに満たされた温水は、下端部２３２−１、孔２３２−２Ｂ及び孔２３３−２が重ね合わされて形成された開口から内管２３２Ｒの内部、水配管１０Ｄを経て、混合弁１４により水と混合されて給湯口へ供給される。
このようにして、前記タンク２１１Ａ、２１１Ｂに貯留された水のうち、上層部の水を取水することができる。
【００２５】
さらに、前記貯湯タンク２１１に貯留する水の量を変更してタンクの総容量を小さくする場合には、前記内管２３２に対して外管２３３を内管２３２の孔と外管２３３の孔とが重ならないところまで回転させる。これによってタンク２１１Ｃ上部及びタンク２１１Ｂ上部の開口は形成されなくなり、従って、前記給水口から前記水配管１０Ａ、前記入水口１９−１を経て前記タンク２１１Ａに供給された水は、前記タンク２１１Ｂや前記タンク２１１Ｃへ供給されなくなる。
また、給水の動作及び温水の給湯口への供給動作については、すでに説明したとおりである。
また、前記２重管２３０の下端部２３２−１は、タンク２１１Ａの上部に位置するので、タンク２１１Ａに貯留された水のうち、上層部の水を取水することができる。
このように、前記軸部２３１を回転させるだけで、内管２３２に対する外管２３３の相対回転により重ねあわされる内管２３２及び外管２３３の孔の組み合わせが変わるので任意のタンクを連通させる開口を形成することができ、前記貯湯タンク２１１に貯留する水の量を簡単に変更することができる。
ここで、前記２重管２３０が、取水位置変更手段の一例に相当する。
【実施例２】
【００２６】
以下の実施例２は、貯湯タンクの容量を変更する袋状の部材と、長孔が形成された管とが備えられた貯湯タンクユニットＸ３に関するものである。
ここに、図１３は実施例２に係る貯湯タンクユニットＸ３を備えたヒートポンプ式給湯機Ｚ３の概略構成を示す模式図、図１４は実施例２に係る貯湯タンクユニットＸ３の袋状部材３５０を上から見た図及び側断面図、図１５は実施例２に係る貯湯タンクユニットＸ３の貯湯タンク３１１内に袋状部材３５０が占める体積が小さい場合の貯湯タンク３１１の模式断面図、図１６は実施例２に係る貯湯タンクユニットＸ３の貯湯タンク３１１内に袋状部材３５０が占める体積が大きい場合の貯湯タンク３１１の模式断面図、図１７は多数孔管３６０が備えられた場合の貯湯タンク３１１の模式断面図である。
本実施例２に係る貯湯タンクユニットＸ３について前記実施形態に係る貯湯タンクユニットＸ１との相違部分についてのみ説明する。
また貯湯タンクユニットＸ３において、前記貯湯タンクユニットＸ１と共通の部材には、同じ符号を付して説明を省略する。
図１３に示すように、ヒートポンプ式給湯機Ｚ３は、本実施例２に係る貯湯タンクユニットＸ３及びヒートポンプユニットＹ１により構成されている。
前記貯湯タンクユニットＸ３は、混合弁１４、操作入力部３（不図示）、前記操作入力部３から操作入力を行うための各種情報を表示する表示部２（不図示）、この表示部２に表示する各種情報などを記憶する記憶部４（不図示）、袋状部材３５０、これらを統括的に制御する制御部１（不図示）、長孔管３４０（３４０Ｒ、３４０Ｌ）、水配管１０（１０Ａ、１０Ｂ、１０Ｃ、１０Ｄ）、貯湯タンク３１１、などにより構成されている。
【００２７】
前記貯湯タンク３１１はヒートポンプユニットＹ１で加熱された水を貯留する１つのタンクであり、前記実施の形態の貯湯タンク１１のように複数の小タンクにはわかれていない。前記貯湯タンク３１１内側上部には、前記袋状部材３５０が備えられている。
図１４（ａ）は、この袋状部材３５０を上から見た図、図１４（ｂ）は、袋状部材３５０の側断面図である。
袋状部材３５０は、図１４に示すように、後記袋部３５３に流体を挿入する入口である流体挿入口３５１、制御部１からの指令によって該流体挿入口３５１を閉止する閉止部材３５２、前記流体挿入口３５１より挿入された流体を収容する袋部３５３などにより構成されている。
この袋部３５３には、図１４に示すように、前記長孔管３４０が貫通するための孔３５４（３５４Ｒ、３５４Ｌ）が２つ形成されている。
ここで、上記孔３５４が、第２の開口部の一例に相当する。
前記袋部３５３は貯湯タンク３１１内部に収容されており、弾性のある断熱部材で形成されている。
これにより、貯湯タンク３１１に貯留された水から前記袋状部材３５０に熱が移動することにより前記貯湯タンク３１１に貯留された水の温度が低下することを抑制することができる。
そして、特に、前記袋部３５３の中央部３５３−２は、前記袋部３５３の上部３５３−１及び下部３５３−３よりも、軟らかい部材で形成されている。そのため、前記流体挿入口３５１から流体が挿入された場合、挿入された流体の量に応じて前記中央部３５３−２が伸縮する。これにより、前記貯湯タンク３１１内に占める袋部３５３の体積が変化し貯湯タンク３１１の容量を変化させることが出来る。
前記下部３５３−３の孔３５４の周囲には、前記袋状部材３５０を貫通する長孔管３４０と前記袋状部材３５０の袋部３５３との間に水が入らないように、シール部材が設けられている。
【００２８】
貯湯タンク２１１の任意の高さ位置から取水するための手段として、前記実施の形態に係る貯湯タンクユニットＸ１の前記伸縮管１８、伸縮管牽引用モータ１５、滑車１６、ワイヤ１７のかわりに、前記孔孔３５４（３５４Ｒ、３５４Ｌ）を貫通する前記長孔管３４０（３４０Ｒ、３４０Ｌ）が備えられている。
ここで、上記長孔管３４０が、取水位置変更手段の一例に相当する。
図１５に示すように、前記長孔管３４０Ｒの上部は前記水配管１０Ｄに接続されており、貯湯タンク３１１に貯留された温水を貯湯タンク３１１から排出するための管である。長孔管３４０Ｒの下部は、一例として、貯湯タンク３１１の高さ位置の中央に設けられている。
また、長孔管３４０Ｌの上部は水配管１０Ｃに接続されており、該水配管１０Ｃから供給された温水を貯湯タンク３１１へ供給するための管である。前記長孔管３４０Ｌの下部もまた、一例として、前記貯湯タンク３１１の高さ位置の中央に設けられている。
前記長孔管３４０には、高さ方向に長い長孔３４１が形成されている。
【００２９】
利用者により、前記操作入力部３の「貯湯量減」ボタンが押下された場合、前記制御部１により、閉止部材３５２が開かれ、不図示の流体挿入管から前記流体挿入口３５１を経て前記袋状部材３５０内部へ流体が挿入される。袋状部材３５０に流体が挿入されると、袋状部材３５０の前記中央部３５３−２が伸びて、下部３５３−３が押し下げられる（図１６参照）。つまり、前記袋状部材３５０が貯湯タンク３１１内に占める体積が増加し、貯湯タンク３１１の容量が減少する。
前記制御部１により、操作入力部３の「貯湯量減」ボタンを通じた操作入力がなされていない、或いは、予め定められた量の流体が袋状部材３５０に挿入されたと判断されると、前記閉止部材３５２が閉じられ、前記不図示の流体挿入管からの流体の挿入が停止される。
具体的には、給水口から水配管１０Ａ、入水口１９−１を経て貯湯タンク３１１に供給された水は、貯湯タンク３１１内の、袋状部材３５０で占められていない部分に貯留される。
前記貯湯タンク３１１内の、袋状部材３５０で占められていない部分に貯留された水は、出水口１９−２、水配管１０Ｂを経て前記ヒートポンプユニットＹ１の水熱交換器２２により加熱される。前記加熱された水は、水配管１０Ｃ、水配管１０Ｃに接続された長孔管３４０Ｌを経て、長孔管３４０Ｌの前記袋状部材３５０に覆われていない長孔３４１Ｌや、長孔管３４０Ｌの下部から貯湯タンク３１１に供給される。
前記貯湯タンク３１１に供給された温水は、長孔管３４０Ｌの袋状部材３５０に覆われていない長孔３４１Ｒや前孔管３４０Ｒの下部から、長孔管３４０Ｒ内部、長孔管３４０Ｒ上部に接続された水配管１０Ｄを経て前記混合弁１４により水と混合されて給湯口へ供給される。
このようにして、前記貯湯タンク３１１に貯留された水のうち、上層部の水を取水することができる。
【００３０】
利用者により、前記操作入力部３の「貯湯量増」或いは「貯湯量減」ボタンが押下されることにより、前記閉止部材３５２を経て流体が袋状部材３５０に供給され、或いは排出されることで貯湯タンク３１１内の容量が調整される。
図１５は、タンク容量の最も大きい状態（袋状部材３５０が最も縮小した状態）、図１６は袋状部材３５０が膨らんで、タンク容量が小さくなった状態を示している。
このように、実施例２では前記袋状部材３５０に挿入する流体の量を調節するだけで、貯湯量を変更することができる。また、貯湯量の微調整を行うことができる。
このように、前記長孔管３４０を用いる場合、構造が簡単であり、取水位置を変更するために駆動手段を用いないので、安価である。
【００３１】
なお、本実施例２では、前記袋状部材３５０への流体の挿入、排出は、自動であるが、手動行うような構成でもかまわない。
また、図１７に示すように、前記長孔３４１が形成された前記長孔管３４０のかわりに、多数の孔３６１が形成された多数孔管３６０でもかまわない。この場合、前記孔３６１が貯留部位の上層部にくるように、具体的には、孔３６１のすぐ上に前記袋状部材３５０の下部３５３−３がくるように、袋状部材３５０に挿入する流体の量を調節する。逆に、袋状部材３５０の大きさが予め定められている場合には、孔３６１が貯留部位の上層部になるような位置に形成されている。
或いは、長孔管３４０のかわりに、前記実施例１の前記２重管２３０を備えた構成でもかまわない。この場合も、内管２３２及び外管２３３に形成された孔が重ねあわされて形成された開口が、貯留部位の上層部にくるように、袋状部材３５０に挿入する流体の量を調節する。逆に、袋状部材３５０の大きさが予め定められている場合には、前記内管２３２及び外管２３３に形成された孔が重ねあわされて形成された開口が貯留部位の上層部になるような位置に孔が形成されている。
或いは、前記長孔管３４０のかわりに、前記実施の形態の伸縮管１８、ワイヤ１７、滑車１６、伸縮管牽引用モータ１５を備えた構成でもかまわない。この場合、前記ワイヤ１７、滑車１６、伸縮管牽引用モータ１５が、第２の牽引手段の一例に相当する。
【図面の簡単な説明】
【００３２】
【図１】本実施の形態に係る貯湯タンクユニットＸ１の制御系統のブロック図。
【図２】本実施の形態に係る貯湯タンクユニットＸ１を備えたヒートポンプ式給湯機Ｚ１の概略構成を示す模式図。
【図３】本実施の形態に係る貯湯タンクユニットＸ１の貯湯タンク１１に略５５０リットルの水を貯留する場合の貯湯タンク１１の模式断面図。
【図４】本実施の形態に係る貯湯タンクユニットＸ１の貯湯タンク１１に略４６０リットルの水を貯留する場合の貯湯タンク１１の模式断面図。
【図５】本実施の形態に係る貯湯タンクユニットＸ１の貯湯タンク１１に略３７０リットルの水を貯留する場合の貯湯タンク１１の模式断面図。
【図６】仕切り板１７０が設けられた貯湯タンク１１１の模式断面図。
【図７】実施例１に係る貯湯タンクユニットＸ２の貯湯タンク２１１に略５５０リットルの水を貯留する場合の貯湯タンク２１１の模式断面図。
【図８】実施例１に係る貯湯タンクユニットＸ２の２重管２３０の側面図及び展開図。
【図９】実施例１に係る貯湯タンクユニットＸ２の２重管２３０の一部の模式断面図。
【図１０】実施例１に係る貯湯タンクユニットＸ２の２重管２３０の異なる高さ位置における断面図。
【図１１】実施例１に係る貯湯タンクユニットＸ２の貯湯タンク２１１に略４６０リットルの水を貯留する場合の貯湯タンク２１１の模式断面図。
【図１２】実施例１に係る貯湯タンクユニットＸ２の貯湯タンク２１１に略３７０リットルの水を貯留する場合の貯湯タンク２１１の模式断面図。
【図１３】実施例２に係る貯湯タンクユニットＸ３を備えたヒートポンプ式給湯機Ｚ３の概略構成を示す模式図。
【図１４】実施例２に係る貯湯タンクユニットＸ３の袋状部材３５０を上から見た図及び側断面図。
【図１５】実施例２に係る貯湯タンクユニットＸ３の貯湯タンク３１１内に袋状部材３５０が占める体積が小さい場合の貯湯タンク３１１の模式断面図。
【図１６】実施例２に係る貯湯タンクユニットＸ３の貯湯タンク３１１内に袋状部材３５０が占める体積が大きい場合の貯湯タンク３１１の模式断面図。
【図１７】多数孔管３６０が備えられた場合の貯湯タンク３１１の模式断面図。
【符号の説明】
【００３３】
１…制御部
２…表示部
３…操作入力部
４…記憶部
１０…水配管
１１…貯湯タンク
１２…過温度防止センサ
１３…湯温サーミスタ
１４…混合弁
１５…伸縮管牽引用モータ
１６…滑車
１７…ワイヤ
１８…伸縮管
１８Ｒ−Ｈ１、１８Ｒ−Ｈ、１８Ｌ−Ｈ１、１８Ｌ−Ｈ…閉止部
２３０…２重管
３４０…長孔管
３５０…袋状部材
３６０…多数孔管
【図１】
2008089189.tif 000003
【図２】
2008089189.tif 000004
【図３】
2008089189.tif 000005
【図４】
2008089189.tif 000006
【図５】
2008089189.tif 000007
【図６】
2008089189.tif 000008
【図７】
2008089189.tif 000009
【図８】
2008089189.tif 000010
【図９】
2008089189.tif 000011
【図１０】
2008089189.tif 000012
【図１１】
2008089189.tif 000013
【図１２】
2008089189.tif 000014
【図１３】
2008089189.tif 000015
【図１４】
2008089189.tif 000016
【図１５】
2008089189.tif 000017
【図１６】
2008089189.tif 000018
【図１７】
2008089189.tif 000019